(57)【特許請求の範囲】
【請求項１】
屋根を支持する躯体壁と該躯体壁の外表面に配置された外壁とを有する躯体の上面に屋根下地材、防水シート及び表面仕上げ材を積層した平坦な屋根を設けてなる平屋根構造において、
前記躯体壁の外表面に対し基板と水平板と垂直板とを有してなる支持金具をその基板を介して取付けてなり、
前記屋根の防水シートの端部に該屋根の外縁部から下方にかけて垂下させた垂下部を設け、該垂下部を前記躯体壁に取付けた支持金具の垂直板からなる実質的な躯体の外表面に張着し、
前記屋根の外縁部に垂直部材と水平部材とを有する略Ｌ字状の外縁金具を取付けるものであって、
前記外縁金具の水平部材は前記表面仕上げ材と防水シート間に密着状に配置されると共に、外縁金具の垂直部材は前記躯体の実質的な外表面である前記支持金具の垂直板に前記防水シートの垂下部を介在して固定されることを特徴とする平屋根の防水構造。
【請求項２】
前記外縁金具の外縁部には屋根表面に向けて屈曲した囲部が設けられ、
該囲部には前記表面仕上げ材の端部である差込部が差込まれると共に、コーキング材を充填させ、該コーキング材により前記差込部の端部を密閉したことを特徴とする請求項１に記載の平屋根の防水構造。
【請求項３】
前記外縁金具の外縁部には屋外側に延出させた延出部が形成され、該延出部には前記表面仕上げ材の端部である延伸部が重合されると共に、該延出部と該延伸部は屋外側で固定手段によって固定されることを特徴とする請求項１に記載の平屋根の防水構造。
【請求項４】
前記外縁金具の外縁部には屋根表面に向かって屈曲する囲部が外周の一部分に設けられ、該囲部には前記表面仕上げ材の端部である差込部が差込まれると共に、コーキング材が充填されて前記差込部の端部を密閉し、前記外縁金具における囲部が設けられている部分と異なる部分の端部には屋外側に延出させた延出部が形成され、該延出部には前記表面仕上げ材の延伸部が重合されると共に、該延出部と該延伸部は屋外側で固定手段によって固定されることを特徴とする請求項１に記載の平屋根の防水構造。
【請求項５】
前記表面仕上げ材と防水シートの間には接着シートを介在させてなり、
前記外縁金具は、その水平部材が前記接着シートと表面仕上げ材の間に密着状に貼着されて、前記屋根の外縁部に取付けられ、前記外縁金具の垂直部材は、前記支持金具の垂直板に対し前記防水シートの垂下部を挟持するように固定されると共に、この垂直部材の下端部が前記垂直板と垂下部の下縁部を被覆してなることを特徴とする請求項４に記載の平屋根の防水構造。
【請求項６】
前記外縁金具が取付けられた屋根は、円形状又は方形状もしくはその組み合わせにて形成されると共に、水上部から水下部にかけて僅かな下り傾斜を有してなり、前記外縁金具には、その水上部側に前記囲部が設けられ水下部側に延出部が設けられてなることを特徴とする請求項５に記載の平屋根の防水構造。
【発明の詳細な説明】
【０００１】
【発明の属する技術分野】
本発明は、躯体の上面に屋根下地材、防水シート及び表面仕上げ材等を積層した平坦な屋根を設けてなる平屋根構造に関し、平屋根建築物や玄関等として設けられる平屋根の防水構造に関する。
【０００２】
【従来の技術】
屋根下地材、防水シート及び表面仕上げ材等を積層した平坦な屋根を設けてなる平屋根構造に関して、従来の構造について図面を用いて説明する。図８は、従来の平屋根の防水構造の部分断面図である。
従来の木造家屋等における平屋根の防水構造は、主として平坦な屋根１００を躯体壁１１０等で支持し、外壁１２０を躯体壁１１０の外側に所望の手段により配置した構造をなしている。
【０００３】
屋根１００は、平坦な板面状をなしており、図中下から屋根下地材１０１、防水シート１０２、接着シート１０３、表面仕上げ材１０４が順次積層されたものから構成されている。防水シート１０２が積層されているのは、雨、雪等により水が屋内に浸入しないようにするためである。
【０００４】
この屋根１００は、躯体壁１１０等によって地表に対して平坦な状態で保持され、躯体壁１１０は、図中左方に位置する垂直に組み立てられた側柱１１１と、該側柱１１１と平行に組み立てられた角材１１２から構成され、側柱１１１の先端には軒桁１１３が垂直に交差する状態で掛け渡されている。そして、軒下１１３と角材１１２とで屋根の屋根下地材１０１を支持している。
また躯体壁１１０の外側には外壁１２０が平行な状態で配置されている。この外壁１２０は、複数の壁材を積層させた外壁体をなしている。
【０００５】
そして、躯体壁１１０に保持されている屋根１００は、任意の固定手段であるビス１３０等によって固定される。すなわち、スクリュー状のビス１３０を屋根１００の上面からねじ込み、順に表面仕上げ材１０４、接着シート１０３、防水シート１０２、屋根下地材１０１を通過して、角材１１２に到達させて、ビス固定する。図では、ビス固定は１箇所しかなされていないが、このビス固定は屋根１００の上面部において多数箇所なされている。
【０００６】
【発明が解決しようとする課題】
従来の平屋根の防水構造は以上のようになっているが、この構造においては雨等が降った場合、その雨水が屋内に浸入してくる危険性があった。すなわち、ビス固定を屋根１００に直接行っているので、防水シート１０２にビス１３０が貫通するようになっており、ビス１３０によって防水シート１０２が損傷することになる。そして、防水シートの損傷部から雨水がしみ込み、屋内に浸入するという危険性があった。また、平屋根で勾配が極めて小さい場合には、降雪による積雪や凍結等に起因して、その融解時においては更に水の浸入の危険性は増大していた。
【０００７】
また、従来の構造では屋根１００の外周端面である小口が一般的にむき出しになっているため、雨等を直接受けて、屋根１００が水濡れ、乾燥を繰り返すたびに、屋根１００の積層の強度が低下し、小口部分において表面仕上げ材１０４のめくれ上がりが生じ、また接着シート１０３や防水シート１０２等については、その防水端部が露出し一面接着での防水となっているため、中長期的に防水層の破断が生ずるという問題があった。特に、防水シート１０２がめくり上がると防水性の観点から問題があり、また、各積層しているシートがめくり上がると美観の面からも問題があった。
【０００８】
本発明は、かかる問題点に鑑みてなされたものであり、屋根の外縁部に防水シートと共に外縁金具を設け、その取付けに特徴づけることによって、完全な防水構造を具備した平屋根を提供することにある。
【０００９】
【課題を解決するための手段】
上記問題点を解決するための手段として、本発明のうち請求項１に記載の発明は、屋根を支持する躯体壁と該躯体壁の外表面に配置された外壁とを有する躯体の上面に屋根下地材、防水シート及び表面仕上げ材を積層した平坦な屋根を設けてなる平屋根構造において、
前記躯体壁の外表面に対し基板と水平板と垂直板とを有してなる支持金具をその基板を介して取付けてなり、
前記屋根の防水シートの端部に該屋根の外縁部から下方にかけて垂下させた垂下部を設け、該垂下部を前記躯体壁に取付けた支持金具の垂直板からなる実質的な躯体の外表面に張着し、
前記屋根の外縁部に垂直部材と水平部材とを有する略Ｌ字状の外縁金具を取付けるものであって、
前記外縁金具の水平部材は前記表面仕上げ材と防水シート間に密着状に配置されると共に、外縁金具の垂直部材は前記躯体の実質的な外表面である前記支持金具の垂直板に前記防水シートの垂下部を介在して固定されることを特徴とする。
【００１０】
本発明は以上の構成としたため、屋根端部の固定を屋根上面外で行うことができて屋根面の防水シートが孔開けされることがなく、防水性を向上させることができる。また、屋根の外縁部すなわち小口が外縁金具により覆われて直接水圧を受けないので、防水性が更に向上すると共に、表面仕上げ材等がめくり上がることがなく、一層の防水性を維持できる。しかも、防水層が紫外線を受けて劣化が促進される恐れもなく、そのため防水性の向上が長期的に期待できる。
【００１１】
また、請求項２に記載の発明は請求項１に記載の発明において、前記外縁金具の外縁部には屋根表面に向けて屈曲した囲部が設けられ、該囲部には前記表面仕上げ材の端部である差込部が差込まれると共に、コーキング材を充填させ、該コーキング材により前記差込部の端部を密閉したことを特徴とする。
【００１２】
また、請求項３に記載の発明は請求項１に記載の発明において、前記外縁金具の外縁部には屋外側に延出させた延出部が形成され、該延出部には前記表面仕上げ材の端部である延伸部が重合されると共に、該延出部と該延伸部は屋外側で固定手段によって固定されることを特徴とする。
【００１３】
また、請求項４に記載の発明は請求項１に記載の発明において、前記外縁金具の外縁部には屋根表面に向かって屈曲する囲部が外周の一部分に設けられ、該囲部には前記表面仕上げ材の端部である差込部が差込まれると共に、コーキング材が充填されて前記差込部の端部を密閉し、前記外縁金具における囲部が設けられている部分と異なる部分の端部には屋外側に延出させた延出部が形成され、該延出部には前記表面仕上げ材の延伸部が重合されると共に、該延出部と該延伸部は屋外側で固定手段によって固定されることを特徴とする。
【００１４】
また、請求項５に記載の発明は請求項４に記載の発明において、前記表面仕上げ材と防水シートの間には接着シートを介在させてなり、前記外縁金具は、その水平部材が前記接着シートと表面仕上げ材の間に密着状に貼着されて、前記屋根の外縁部に取付けられ、前記外縁金具の垂直部材は、前記支持金具の垂直板に対し前記防水シートの垂下部を挟持するように固定されると共に、この垂直部材の下端部が前記垂直板と垂下部の下縁部を被覆してなることを特徴とする。
【００１５】
また、請求項６に記載の発明は請求項５に記載の発明において、前記外縁金具が取付けられた屋根は、円形状又は方形状もしくはその組み合わせにて形成されると共に、水上部から水下部にかけて僅かな下り傾斜を有してなり、前記外縁金具には、その水上部側に前記囲部が設けられ水下部側に延出部が設けられてなることを特徴とする。
【００１６】
【発明の実施の形態】
本発明の平屋根の防水構造の実施の形態について図面を用いて説明する。図１は本発明の平屋根の防水構造の上面図であり、図２はその部分断面図であり、図３（ａ），（ｂ）は第１の外縁金具の取付けを説明するための説明図であり、図４（ａ），（ｂ）は第２の外縁金具の取付けを説明するための説明図であり、図５は第１の外縁金具の断面図であり、図６は第２の外縁金具の断面図である。
【００１７】
本発明の平屋根の防水構造は、主として平坦な屋根２０を躯体壁１１等を有する躯体１０で支持し、外壁１３を躯体壁１１の外側に所望の手段により配置し、防水シート２２の端部に屋根２０の外縁部から下方にかけて垂下させた垂下部２３を設け、屋根２０の外縁部に垂直部材４１，５１と水平部材４２，５２とを有する外縁金具４０，５０を取付けた構造をなしている。
【００１８】
躯体１０は、図１，２に示すように略円形状をなしており、主として躯体壁１１と、躯体壁１１に対して垂直に組み立てられた天井板１２と、躯体壁１１の外側で平行な状態で配置された外壁１３等から構成されている。躯体壁１１は、垂直に組み立てられた側柱１１ａと、該側柱１１ａと平行に組み立てられた角材１１ｂから構成され、一方の側柱１１ａ（図２中左方）の先端には軒桁１４が垂直に交差する状態で掛け渡されている。また、側柱１１ａの外表面側には、湿気を防止するための水切りシート１５が貼着されている。外壁１３は、複数の壁材を積層させた外壁体から成り、躯体壁１１に所望の手段によって取付けられ、躯体壁１１及び屋根２０の間に間隔が設けられた状態になっている。
【００１９】
この略円形の躯体１０は、図２において、左方（水上部）から右方（水下部）にかけて漸次高さが低くなるように下り傾斜させて躯体壁１１等が組み立てられており、この躯体１０に平坦な屋根２０が保持されるようになる。
すなわち、この屋根２０は、躯体１０における軒桁１４や角材１１ｂ等によって勾配を持った状態で保持されるようになる。具体的には底辺と垂辺の割合を約５０対１の勾配を設けて水はけを良好なものとしている。図２において、左側の図面と右側の図面とに段差を設けているのは、この勾配を表している。
【００２０】
屋根２０は、円形の板状をなしており、平坦な板状をなしており、図２において下から屋根下地材たる野地合板２１、防水シート２２、接着シート２４、パネル状の表面仕上げ材２５が順次積層されたものから構成されている。防水シート２２が積層されているのは、雨、雪等により水が屋内に浸入してこないようにするためである。
そしてこの屋根２０の一部をなしている積層された一枚の防水シート２２には、屋根２０の外縁部全体から下方にかけて垂下して垂下部２３が設けられている。つまり、防水シート２２の外形を表面仕上げ材２５等より大きくして、屋根２０を躯体１０に取付ける際、自然に垂下部２３が屋根２０の外縁全体に渡って垂れ下がるようにしている。
【００２１】
このような各シートが積層される屋根２０の外縁部の一部に、第１の外縁金具４０が取付けられる。第１の外縁金具４０は、防錆のためのアルマイト処理を施したアルミ型材から構成され、図１に示すように２２５度の角度を有する環状を呈している。断面を説明すると、図３，５等に示すように、この第１の外縁金具４０は屋根２０の厚さの４〜５倍程度の垂直部材４１と、該垂直部材４１対して垂直になっておりこの垂直部材４１と同等の長さの水平部材４２とを有し、該水平部材４２の上面には囲部４３が設けられている。
具体的には図５に示すように、一枚の湾曲した金属板（図５中の縦方向に位置する板）に、これと垂直に幅の異なる３枚の湾曲した金属板を溶接することによって形成される。なお、図中網目のハッチングを施しているのが溶接部分である。
【００２２】
このような形状をした第１の外縁金具４０は、屋根２０に取付けられる。すなわち、図３（ａ），（ｂ）に示すように、水平部材４２が表面仕上げ材２５と防水シート２２との間に配置された状態で取付けられる。さらに詳述すると、水平部材４２は、その下面のほとんどが接着シート２４により貼着されると共に、その上面に表面仕上げ材２５が積層されて配置されている。つまり、図中下から野地合板２１、防水シート２２、接着シート２４、水平部材４２、表面仕上げ材の重合部２６順に積層された状態になっている。そして、第１の外縁金具４０の略全周（外周のほとんど）に渡る、垂直部材４１と水平部材４２とで囲まれた鉤状部分には防水シート２２の垂下部２３が垂れ下がった状態になっている。
【００２３】
このように垂れ下がった垂下部２３は、第１の外縁金具４０の垂直部材４１と断面コ字状の第１の支持金具６０とに挟まれて固定される。
第１の支持金具６０は、第１の外縁金具４０と同様に２２５度の角度を有する環状を呈しており、断面を説明すると、図３，５等に示すように、垂直に延びる基板６１と該基板６１の端部から垂直に延びる水平板６２と該水平板６２の端部から下方に向けて垂直に延びる垂直板６３とから構成され、この３枚の金属板を溶接することにより断面コ字状をなしている。なお、図５中網目のハッチングを施しているのが溶接部分である。また、水平板６２にはパンチング等によって形成された複数の通気孔６４が形成されている。
【００２４】
この断面コ字状の第１の支持金具６０は、外壁１３の上端部を囲むように躯体壁１１に取付けられる。すなわち、基板６１にあらかじめ形成された貫通孔にスクリュー状のビス６５を貫通させることによって、第１の支持金具６０は躯体壁１１に固定される。
一方で、反対側に位置する垂直板６３は、第１の外縁金具４０の水平部材４２と垂直部材４１とに囲まれた鉤状部分に垂れ下がった垂下部２３を、垂直部材４１の略全側面（側面の大部分）と共に密着状に挟持する。そして、垂直部材４１と垂直板６３とにあらかじめ形成された貫通孔に固定手段たるビス４４を、防水シート２２を突き抜いて貫通させて、受け部４５と共に固定する。このとき垂直板６３は、躯体１０の実質的な外表面として機能している。なお、このビス固定は図面には表されていないが、垂直部材４１の側面に渡って複数箇所行われている。
【００２５】
また、第１の支持金具の水平板６２には、通気孔６４が設けられているので、図３（ａ）中矢印で示すように、屋内（屋根面）から屋外、外壁１３と躯体壁１１との間から屋外、とに空気が流れるので、屋根面通気、壁面通気が確保できる。
【００２６】
第１の外縁金具４０の水平部材４２の上面に設けられた囲部４３は、屋根２０の中心に向かって屈曲しており、該囲部４３には表面仕上げ材２５の端部の一部が差し込まれて保持される。
第１の外縁金具４０の水平部材４２の上面に配置された表面仕上げ材２５の外周端部の一部である、図１に示すような２２５度の角度を有する部分は、差込部２７をなしており、該差込部２７は図２，３に示すように囲部４３に差し込まれている。
【００２７】
この差込部２７が差し込まれた囲部４３には、コーキング材２９が充填される。コーキング材２９は常温において硬化する強力なガムシールから構成され、このコーキング材２９は、囲部４３の内部全体に充填され、このようにコーキング材２９が充填されることにより、表面仕上げ材の差込部２７が隙間を有することなく完全に被覆される。すなわち、囲部４３を設けることにより効率的にコーキング材２９を充填できる。そして、差込部２７が被覆されることによって、雨水等が差込部２７から浸入することが防止される。
【００２８】
一方、屋根２０の外縁部における第１の外縁金具４０が取付けられた部分と異なる部分、本実施の形態では第一外縁金具４０に連結するように、第２の外縁金具５０が取付けられる。第２の外縁金具５０は、防錆のためのアルマイト処理を施したアルミ型材から構成され、図１に示すように１３５度の角度を有する環状を呈している。断面を説明すると、図４，６等に示すように、この第２の外縁金具５０は屋根２０の厚さの４〜５倍程度の垂直部材５１と、該垂直部材５１対して垂直になっておりこの垂直部材５１と同等の長さの水平部材５２とを有し、該水平部材５２の端部には垂直部材５１と略Ｔ字状をなすように、延出部５３が一体形成されている。具体的には図６に示すように、一枚の湾曲した金属板（垂直部材５１）（図６中の縦方向に位置する板）の一端に、これと垂直に湾曲した金属板（水平部材５２）をＴ字状になるように溶接し、さらに他端に幅細の湾曲した金属板を溶接することによって形成される。なお、図中網目のハッチングを施しているのが溶接部分である。
【００２９】
このような形状をした第２の外縁金具５０は、屋根２０に取付けられる。すなわち、図４（ａ），（ｂ）に示すように、水平部材５２が表面仕上げ材２５と防水シート２２との間に配置された状態で取付けられる。この第２の外縁金具の水平部材５２と屋根２０との積層関係は、第１の外縁金具４０の場合と同様なのでここでは詳しい説明を省略する。防水シート２２の垂下部２３が、第２の外縁金具５０の略全周に渡る、水平部材５２と垂直部材５１とに囲まれた鉤状部分に垂れ下がった状態になっているのも同様である。
【００３０】
このように垂れ下がった垂下部２３は、第２の外縁金具５０の垂直部材５１と断面コ字状の第２の支持金具７０とに挟まれて固定される。
第２の支持金具７０は、第２の外縁金具と同様に１３５度の角度を有する環状を呈しており、断面は第１の支持金具６０と同様であり、図４，６等に示すように、垂直に延びる基板７１と該基板７１にの端部から垂直に延びる水平板７２と該水平板７２の端部から下方に向けて垂直に延びる垂直板７３とから構成され、この３枚の金属板を溶接することにより断面コ字状をなしている。なお、図６中網目のハッチングを施しているのが溶接部分である。また、水平板７２にパンチング等によって形成された複数の通気孔７４が形成されているのも第１の支持金具６０と同様である。
【００３１】
この断面コ字状の第２の支持金具７０は、第１の支持金具６０と同様に、外壁１３の上端部を囲むように躯体壁１１に取付けられる。すなわち、基板７１にあらかじめ形成された貫通孔にスクリュー状のビス７５を貫通させることによって、第２の支持金具７０は躯体壁１１に固定される。
一方で、反対側に位置する垂直板７３は、第１の支持金具６０と同様に、第２の外縁金具５０の水平部材５２と垂直部材５１とに囲まれた鉤状部分に垂れ下がった垂下部２３を、垂直部材５１の略全側面（側面の大部分）と共に密着状に挟持する。そして、垂直部材５１と垂直板７３とにあらかじめ形成された貫通孔に固定手段たるビス５４を、防水シート２２を突き抜いて貫通させて、受け部５５と共に固定する。このとき垂直板７３は、躯体１０の実質的な外表面として機能している。なお、このビス固定は図面には表されていないが、垂直部材５１の側面に渡って複数箇所行われている。
なお、第２の支持金具の水平板７２にも、第１の支持金具の水平板６２と同様に通気孔７４が設けられており、図４（ａ）中矢印で示すように、屋根面通気、壁面通気が確保できる。
【００３２】
第２の外縁金具の水平部材５２の端部に一体形成された延出部５３は、第２の外縁金具５０が屋根２０に取付けられた状態において、屋外側に延出し、該延出部５３には、表面仕上げ材２５の端部の一部が重合されて、固定手段によって固定さる。
前記表面仕上げ材２５の外周端部うち、差込部２７をなしている部分と異なる部分、すなわち第２の外縁金具５０の水平部材５２の上面に配置された表面仕上げ材２５の外周端部は、延伸部２８をなしている。図１における１３５度の角度を有する端部のことを指す。この延伸部２８は図２，４に示すように第２の外縁金具の延出部５３に重合されている。
【００３３】
このように屋外側に延出している、延出部５３と延伸部２８は、この屋外側で固定手段によって固定される。すなわち、第２の外縁金具の延出部５３にあらかじめ設けられた貫通孔に固定手段たるビス３０を、表面仕上げ材の延伸部２８を突き抜いて貫通させて、受け部３１と共に固定する。つまり、第２の外縁金具の水平部材５２と表面仕上げ材２５の端部を延出させて屋外側でビス固定することにより、防水シート２２を突き破ることなく屋根の固定ができ、さらに屋外側での固定なので屋内への水漏れの危険性がないのである。
なお、図２，４において受け部３１を表面仕上げ材の延伸部２８の端部の端面に合わせて固定しているが、これは延伸部２８のめくり上がりを防止するためである。
【００３４】
本発明の平屋根の防水構造は、以上の様に構成されており、例えば雨が降った場合、図１に示すように屋根２０は、図中下方から上方にかけて勾配を持っているので、雨水が図中上方に流れる。そして、図中上方には第２の外縁金具５０が取付けられているので、その延出部５３から雨水等が円滑に排水される。なお、第１の外縁金具４０には囲部４３が設けられているが、豪雨により雨水が囲部４３に溜まったとしても、上述のとおりコーキング材２９により雨水の浸入が防止される。
【００３５】
本発明の平屋根の防水構造における実施の形態として、円形建築物に設けられる屋根について説明したが、本発明の平屋根の防水構造は、図７に示すように建物８０に取付けられた平坦な屋根、例えば玄関の屋根にも好適に利用される。図７は、本発明の平屋根の防水構造における他の実施の形態にかかる上面図である。
建物８０は、図面には現れていないが、木造の建築物でも、ユニット建物でも何れの建物でも良い。屋根２０には、上述した実施の形態と同様に、勾配がつけられており、雨水が図中下方から上方にかけて流れるようになっている。
【００３６】
第１の，第２の外縁金具４０，５０は、上述の実施の形態と同様に、屋根２０の外縁部に取付けられているが、本形態では、第１の，第２の外縁金具４０，５０は、屋根２０の外縁部のうち、建物８０とも接合部分８１を除いた部分に取付けられている。
具体的には、第１の外縁金具４０は、略直線状に形成され、接合部分８１の端部から、建物８０に対して垂直に２本取付けられている。第２の外縁金具５０は、１３５度の角度を有する環状を呈し、一方の第１の外縁金具４０と他方の外縁金具４０との端部を結合するように、取付けられる。こうすることにより、第２の外縁金具５０から円滑に雨水等が排水される。その他の構成は上述の実施の形態と同様なのでここではその説明を省略する。
【００３７】
なお、本発明の平屋根の防水構造は、上述した形態に限られないのはいうまでもなく、矩形状の屋根に好適に利用される。もちろん、この矩形状の屋根を更に建物に取付けたものにも適用される。また、防水シート２２の垂下部２３が固定される躯体１０の実質的な外表面として、実施の形態では第１の，第２の支持金具の垂直板６３，７３を挙げたが、外壁１３もこの外表面となりうる。すなわち、第１の，第２の外縁金具の垂直部材４１，５１と垂下部２３とを、直接外壁１３にビス固定した形態でも良い。
さらに、第１の外縁金具４０のみを屋根２０の一部に取付けた形態でも良く、第２の外縁金具５０のみを屋根２０の一部に取付けた形態でも良い。また、第２の外縁金具５０のみを屋根２０の外縁部の全周に取付けた形態であっても良く、第１の外縁金具と第２の外縁金具を一体にした外縁金具を取付けた形態であっても良い。なお、固定手段は、ビス固定に限らず接着剤等を用いても良い。
【００３８】
【発明の効果】
本発明の平屋根の防水構造は、躯体上面に平坦な屋根を設けてなる平屋根構造において、防水シートの端部に垂下部を設け、該垂下部を前記躯体の実質的な外表面に張着し、屋根の外縁部に外縁金具を取付けてなり、水平部材は表面仕上げ材と防水シート間に配置されると共に、垂直部材は前記躯体の実質的な外表面に、その間に前記防水シートの垂下部を介在して固定される構成としたため、屋根端部の固定を屋根上面外で行うことができるため、屋根面の防水シートが孔開けされることがなく、防水性を向上させることができる。また、屋根の外縁部すなわち小口が外縁金具により覆われて直接水圧を受けないので、防水性が更に向上すると共に、表面仕上げ材等がめくり上がることがなく、一層の防水性を維持できる。しかも、防水層が紫外線を受けて劣化が促進される恐れもなく、そのため防水性の向上が長期的に期待できる。
【００３９】
また、躯体は躯体壁と外壁とを有し、これに支持金具を取付けてなり、前記支持金具の基板は躯体壁に固定され、垂直板は躯体の実質的な外表面として、防水シートの垂下部を張着すると共に、外縁金具の垂直部材を固定された構成としたため、支持金具と外縁金具同士を防水シートを間に挟んだ状態で固定すればよいので、固定が簡単にでき、組立性が向上する。
【００４０】
また、外縁金具の外縁部には囲部が設けられ、該囲部には表面仕上げ材の端部である差込部が差込まれ、囲部にコーキング材を充填させ、該コーキング材により該差込部を被覆させる構成としたため、囲部内で差込部が隙間を有することなく完全に被覆されるので、差込部から雨水等が浸入することがなく、防水性が更に向上する。また、差込部のめくり上がりも防止でき、防水性，美観の面からも優れる。
【００４１】
また、外縁金具の外縁部には延出部が形成され、該延出部には表面仕上げ材の端部である延伸部が重合されると共に、該延出部と該延伸部は屋外側で固定手段によって固定される構成としたため、屋外側でビス固定することができるので、防水シートを突き破ることなく屋根の固定ができ、防水性が更に向上する。また、屋外側での固定なので屋内への水漏れの危険性もなくなる。
【００４２】
また、外縁金具の水平部材には囲部が外周の一部分に設けられ、該囲部には表面仕上げ材の端部である差込部が差込まれ、コーキング材により該差込部の端部を密閉し、外縁金具における囲部が設けられている部分と異なる部分の端部には延出部が形成され、該延出部には延伸部が重合されると共に、該延出部と該延伸部は屋外側で固定手段によって固定される構成としたため、１つの屋根に囲部を有する外縁金具と、延出部を有する外縁金具を取付けることができ、防水構造のバリエーションが広がる。例えば、屋根に、延出部を有する外縁金具側に勾配をつけて雨水を誘導することができる。
【００４３】
また、表面仕上げ材と防止シートの間には接着シートを介在させ、外縁金具は、その水平部材が前記接着シートと表面仕上げ材の間に密着状に貼着されて、前記屋根の外縁部に取付けられた構成としたため、外縁金具が接着シートによっても固定されるので、外縁金具の取付の信頼性が高まり、結果として防水性が向上する。
【００４４】
また、外縁金具の垂直部材は、前記支持金具の垂直板に対し、前記防水シートの垂下部を挟持するように固定されると共に、この垂直部材の下端部が前記垂直板と垂下部の下縁を被覆してなる構成としたため、防水シートが挟持された状態で固定されるので、固定が確実になり防水性が向上する。また、垂直部材の下端部によって、垂直板と垂下部の下縁部が被覆されるので、雨風等が垂直板と垂下部の下縁部から入り込む危険性が低減され、防水の信頼性が向上する。
【００４５】
また、外縁金具が取付けられた屋根は、水上部から水下部にかけて僅かな下り傾斜を有してなり、この外縁金具には、その水上部側に前記囲部が設けられ水下部側に延出部が設けられてなる構成としたため、延出部から雨水が円滑に水下部に排出され、屋根上面に雨水が溜まることがないので、更に防水性の高い平屋根の防水構造を提供することができる。
また、外縁金具が取付けられた屋根は、円形状又は方形状もしくはその組み合わせにて形成される構成としたため、様々な形状の屋根にも信頼性の高い防水構造を提供することができる。
【図面の簡単な説明】
【図１】本発明の平屋根の防水構造の上面図。
【図２】本発明の平屋根の防水構造部分断面図。
【図３】本発明の平屋根の防水構造にかかる第１の外縁金具の取付けを説明するための説明図。
【図４】本発明の平屋根の防水構造にかかる第２の外縁金具の取付けを説明するための説明図。
【図５】本発明の平屋根の防水構造にかかる第１の外縁金具の断面図。
【図６】本発明の平屋根の防水構造にかかる第２の外縁金具の断面図。
【図７】本発明の平屋根の防水構造における他の実施の形態にかかる上面図。
【図８】従来の防水構造の部分断面図。
【符号の説明】
１０  躯体
１１  躯体壁
２０  屋根
２１  野地合板（屋根下地材）
２２  防水シート
２３  垂下部
２４  接着シート
２５  表面仕上げ材
２６  重合部
２７  差込部
２８  延伸部
２９  コーキング材
３０  ビス
４０  第１の外縁金具
４１  垂直部材
４２  水平部材
４３  囲部
４４  ビス
５０  第２の外縁金具
５１  垂直部材
５２  水平部材
５３  延出部
５４  ビス
６０  第１の支持金具
６１  基板
６２  水平板
６３  垂直板
７０  第２の支持金具
７１  基板
７２  水平板
７３  垂直板
８０  建物
【図１】
0004064039.tif 000002
【図２】
0004064039.tif 000003
【図３】
0004064039.tif 000004
【図４】
0004064039.tif 000005
【図５】
0004064039.tif 000006
【図６】
0004064039.tif 000007
【図７】
0004064039.tif 000008
【図８】
0004064039.tif 000009